【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
操作部を有する画像処理装置を制御する制御方法であって、
前記操作部を介してアプリケーションを選択する工程と、
前記選択されたアプリケーションから、前記画像処理装置が有する機能を使用するためのトークンの取得要求をアプリケーションフレームワークに送信する工程と、
前記機能を使用するためにユーザ認証が必要かどうか確認する工程と、
ユーザ認証が要求されると、ユーザ認証を実行する工程と、
前記ユーザ認証に成功したことに応じて、前記アプリケーションフレームワークから前記選択されたアプリケーションに前記トークンを送信する工程と、
を有することを特徴とする制御方法。
【請求項２】
前記アプリケーションは、拡張アプリケーションとして追加してインストールされたアプリケーションであることを特徴とする請求項１に記載の制御方法。
【請求項３】
前記画像処理装置が有する機能は、当該画像処理装置が出荷時に備えている機能であり、前記アプリケーションが前記機能を使用するのが許可されると、前記アプリケーションフレームワークは、前記機能を提供するＡＰＩを利用するためのトークンを前記アプリケーションに提供することを特徴とする請求項１又は２に記載の制御方法。
【請求項４】
前記ユーザ認証は、ユーザにより入力されたユーザ情報を認証サーバに送信し、当該認証サーバによる認証結果に基づいて実行されることを特徴とする請求項１乃至３のいずれか１項に記載の制御方法。
【請求項５】
前記アプリケーションフレームワークは、外部装置のウェブブラウザから、前記画像処理装置のＩＰアドレスにアクセスすることにより、当該外部装置に表示されたウェブブラウザ画面を介して前記ユーザ認証が必要かどうか設定することを特徴とする請求項１乃至４のいずれか１項に記載の制御方法。
【請求項６】
前記アプリケーションが使用する機能に対して、前記ユーザ認証が必要と設定されている場合、前記アプリケーションフレームワークは、前記ユーザ認証に成功した場合に、前記アプリケーションに対して前記機能の使用を許可することを特徴とする請求項１乃至５のいずれか１項に記載の制御方法。
【請求項７】
前記ユーザ認証が必要でない場合、ユーザ認証を実行することなく、前記アプリケーションフレームワークから前記選択されたアプリケーションに前記トークンが送信される工程を、更に有することを特徴とする請求項１乃至６のいずれか１項に記載の制御方法。
【請求項８】
前記機能は、ファクス送信、Ｅメール送信、Ｉファクス送信、ファイル送信の少なくともいずれかを含むことを特徴とする請求項１乃至７のいずれか１項に記載の制御方法。
【請求項９】
操作部を有する画像処理装置であって、
前記操作部を介してアプリケーションを選択する選択手段と、
前記選択されたアプリケーションを実行することで、前記画像処理装置が有する機能を使用するためのトークンをアプリケーションフレームワークに要求する要求手段と、
前記アプリケーションフレームワークに、前記機能を使用するためにユーザ認証が必要かどうか確認させる確認手段と、
ユーザ認証が要求されると、ユーザ認証を実行する認証手段と、
前記ユーザ認証に成功したことに応じて、前記アプリケーションフレームワークに前記選択されたアプリケーションに前記トークンを発行させる発行手段と、
前記選択されたアプリケーションに前記トークンで前記機能を実行させる手段と、
を有することを特徴とする画像処理装置。
【請求項１０】
前記アプリケーションは、拡張アプリケーションとして追加してインストールされたアプリケーションであることを特徴とする請求項９に記載の画像処理装置。
【請求項１１】
前記画像処理装置が有する機能は、当該画像処理装置が出荷時に備えている機能であり、前記アプリケーションが前記機能を使用するのが許可されると、前記発行手段は、前記機能を提供するＡＰＩを利用するためのトークンを前記アプリケーションに提供することを特徴とする請求項９又は１０に記載の画像処理装置。
【請求項１２】
前記ユーザ認証は、ユーザにより入力されたユーザ情報を認証サーバに送信し、当該認証サーバによる認証結果に基づいて実行されることを特徴とする請求項９乃至１１のいずれか１項に記載の画像処理装置。
【請求項１３】
前記アプリケーションフレームワークは、外部装置のウェブブラウザから、前記画像処理装置のＩＰアドレスにアクセスすることにより、当該外部装置に表示されたウェブブラウザ画面を介して前記ユーザ認証が必要かどうか設定することを特徴とする請求項９乃至１２のいずれか１項に記載の画像処理装置。
【請求項１４】
前記アプリケーションが使用する機能に対して、前記ユーザ認証が必要と設定されていて前記ユーザ認証に成功した場合に、前記アプリケーションフレームワークに、前記アプリケーションが前記機能を使用することを許可させる手段を、更に有することを特徴とする請求項９乃至１３のいずれか１項に記載の画像処理装置。
【請求項１５】
前記ユーザ認証が必要でない場合、前記アプリケーションフレームワークに、ユーザ認証を実行することなく、前記選択されたアプリケーションに前記トークンを発行させる手段を、更に有することを特徴とする請求項９乃至１４のいずれか１項に記載の画像処理装置。
【請求項１６】
前記機能は、ファクス送信、Ｅメール送信、Ｉファクス送信、ファイル送信の少なくともいずれかを含むことを特徴とする請求項９乃至１５のいずれか１項に記載の画像処理装置。
【請求項１７】
コンピュータを、請求項９乃至１５のいずれか１項に記載の画像処理装置の各手段のすべてとして機能させるためのプログラム。
【手続補正２】
【補正対象書類名】明細書
【補正対象項目名】００１０
【補正方法】変更
【補正の内容】
【００１０】
上記目的を達成するために本発明の一態様に係る画像処理装置は以下のような構成を備える。即ち、
操作部を有する画像処理装置であって、
前記操作部を介してアプリケーションを選択する選択手段と、
前記選択されたアプリケーションを実行することで、前記画像処理装置が有する機能を使用するためのトークンをアプリケーションフレームワークに要求する要求手段と、
前記アプリケーションフレームワークに、前記機能を使用するためにユーザ認証が必要かどうか確認させる確認手段と、
ユーザ認証が要求されると、ユーザ認証を実行する認証手段と、
前記ユーザ認証に成功したことに応じて、前記アプリケーションフレームワークに前記選択されたアプリケーションに前記トークンを発行させる発行手段と、
前記選択されたアプリケーションに前記トークンで前記機能を実行させる手段と、を有することを特徴とする。
【手続補正３】
【補正対象書類名】明細書
【補正対象項目名】００２２
【補正方法】変更
【補正の内容】
【００２２】
画像形成装置１００は、外部端末であるコンピュータとＨＴＴＰ通信可能に接続され、コンピュータからプリントなどのジョブの実行を受け付けることができる。また、そのコンピュータにインストールされたブラウザから画像形成装置１００のＩＰアドレスにアクセスすることにより、ブラウザ上にリモートユーザインターフェース（ＲＵＩ）を表示することができる。そして、そのコンピュータのユーザは、ＲＵＩ上の操作により、画像形成装置１００の状態を問い合わせたり、画像形成装置１００の設定を変更したりすることができる。このＲＵＩの一例を、図７〜図１０を参照して後述する。
【手続補正４】
【補正対象書類名】明細書
【補正対象項目名】００３５
【補正方法】変更
【補正の内容】
【００３５】
一方、認証送信の設定がオンであった場合には、図５に示すユーザ認証画面５０１が表示される。